(57)【特許請求の範囲】
【請求項１】
各種の取引処理を行う機構部が内蔵され、前面上方にＬ字形開口部を有する本体と、操作表示部を有し、前記本体に前記Ｌ字形開口部を覆うように開閉可能に取り付けられるフロントパネルとを備えた自動機において、
前記フロントパネルは、前記本体と開閉可能に連結されるＬ字形フレームと、該Ｌ字形フレームの垂直部分に取り付けられるフロントカバーと、該Ｌ字形フレームの水平部分に手前側が突出するように取り付けられるテーブルとを含んで構成され、
前記テーブルは、上面を構成する上カバーと、下面を構成する下カバーと、前面と両側面を構成するセンターカバーとから構成され、かつ前記本体の幅よりも狭い幅で形成され、
前記センターカバーは、前記テーブルの両側面を構成する部分に形成された段差部を備え、
前記段差部は、前記上カバーと前記センターカバーと前記下カバーとを組み立てた状態で前記テーブルの両側面に形成される溝を構成し、
前記テーブルは、前記上面の奥側に設けられ、かつ前記上面よりも突出するように形成された傾斜部を備えている
ことを特徴とする自動機。
【請求項２】
請求項１に記載の自動機において、
前記テーブルは、前記上面が傾斜角θ１の傾斜面で形成され、
前記傾斜部は、前記傾斜角θ１よりも大きな傾斜角θ２で形成された傾斜面を備えていることを特徴とする自動機。
【請求項３】
請求項１または請求項２に記載の自動機において、
前記傾斜部は、硬貨口と紙幣口とを備えていることを特徴とする自動機。
【請求項４】
請求項１から請求項３の何れかに記載の自動機において、
前記フロントカバーは、下方部分が前記本体側に傾斜した傾斜面と、該傾斜面の前方両側に形成されたカメラ収納部とを備え、
前記カメラ収納部は、前記硬貨口を監視する第１監視カメラと、前記紙幣口を監視する第２監視カメラとを備えていることを特徴とする自動機。
【請求項５】
請求項１から請求項４の何れかに記載の自動機において、
前記溝に前後方向にスライド可能なバーを備えていることを特徴とする自動機。
【請求項６】
請求項１から請求項４の何れかに記載の自動機において、
前記溝は、高さｈが１５ｍｍ≦ｈ≦２０ｍｍの範囲、深さｄが１５ｍｍ≦ｄ≦２０ｍｍの範囲、長さＬ１が１００ｍｍ≦Ｌ１≦１５０ｍｍの範囲で形成されていることを特徴とする自動機。
【請求項７】
請求項１から請求項５の何れかに記載の自動機において、
前記テーブルの上面は、その傾斜角θ１が５°≦θ１≦１５°の範囲で形成され、
前記傾斜部は、その傾斜角θ２が５°≦θ２≦３０°の範囲で形成されていることを特徴とする自動機。
【発明の詳細な説明】
【０００１】
【発明の属する技術分野】
本発明は、自動機に係り、特に銀行等に配置される現金自動取引機や、行政機関及び公共施設等に設置されて各種の自動取引を行うのに好適な自動機に関する。
【０００２】
【従来の技術】
従来、この種の自動機として、例えば、金融機関等で導入されている現金自動預入支払機（以下、ＡＴＭとする）は、奥行きのある筐体の前面上部を側面からみてＬ形に切り欠いて、そのＬ形の水平面にタッチパネル式の操作表示部と紙幣口、硬貨口を有するテーブルが配置され、垂直面にはカードや通帳などの媒体を挿入する媒体口を有するフロントカバーフロントパネルが配置されたものが一般的である。
【０００３】
このような自動機では、前記テーブルとフロントカバーを構造的に一体化したフロントパネルで構成し、このフロントパネルを、その上部を回転軸として開閉可能とすることで、内部のメンテナンスを可能としている。
【０００４】
また、近年、この種の自動機においては、操作性や視認性を考慮し、テーブルの上面をほぼ水平面に近い緩やかな傾斜面で形成し、この傾斜面にタッチパネル式の操作表示部や紙幣投入口、硬貨投入口を配置したものが実施化されている。
【０００５】
【発明が解決しようとする課題】
この種の自動機は、立ち姿勢の使用者を対象に設計しているため、振込み手続などの処理操作に時間を要する手続きでは、使用者に長時間の立姿勢を強いることになる。このような場合、使用者はテーブルの上面に一方の手を置き、この一方の手を軸に、もたれかかるようにして体を支え、他方の手でタッチパネル式の操作表示部を操作することも多々見られる。このような支持姿勢では、手とテーブル面の接触だけで体を支えているため長時間の安定した姿勢を取りにくいため、テーブルを把持できれば安定した立ち姿勢が可能となる。しかしながら、従来の自動機では以下の課題があるため、使用者がテーブルを把持することができなかった。即ち、この種の自動機による各種サービス業務が自動化され、自動化に伴って筐体に各種の機器を多数内蔵させる必要がある。筐体に内蔵された各種の機器と操作部となるタッチパネル式の操作表示部との接続はケーブルにより行われている。
また、従来の自動機では、タッチパネル式の操作表示部が前記フロントパネルに取付けられているため、この操作表示部と筐体とのケーブル配線は、Ｌ型の前記フロントパネルに沿って配線している。この際、この種の自動機では、Ｌ型のフロントパネルの角部分（テーブル後方部近傍）に凹部を形成し、この凹部に前記紙幣口や硬貨口を設けているため、前記操作表示部の配線は前記凹部の両側の細い支柱部分を介して配線されていた。即ち、前記操作表示部などから引き出されるケーブルの多くは、操作表示部の両側に引き出されて前記支柱部分通して筐体まで引っ張られるため、テーブルの両側面にケーブルを配線するためのスペースを確保しなければならず、テーブルが必要以上に幅広くなってしまい、使用時におけるテーブルの保持性が低下するという課題があった。
また、前記テーブルの傾斜はタッチパネル式の操作表示部の操作性を考慮して設定されているため、テーブルの後方に配置される紙幣口、硬貨口の操作性や視認性の面からは傾斜角度が小さいとの課題があった。
本発明の目的は、テーブルの保持性が良好で、かつ操作部や紙幣取扱口、硬貨取扱口の操作性や視認性を向上させることができる自動機を提供することにある。
【０００６】
【課題を解決するための手段】
前記目的を達成するために、本願発明は、各種の取引処理を行う機構部が内蔵され、前面上方にＬ字形開口部を有する本体と、操作表示部を有し、前記本体に前記Ｌ字形開口部を覆うように開閉可能に取り付けられるフロントパネルとを備えた自動機において、
前記フロントパネルは、前記本体と開閉可能に連結されるＬ字形フレームと、該Ｌ字形フレームの垂直部分に取り付けられるフロントカバーと、該Ｌ字形フレームの水平部分に手前側が突出するように取り付けられるテーブルとを含んで構成され、
前記テーブルは、上面を構成する上カバーと、下面を構成する下カバーと、前面と両側面を構成するセンターカバーとから構成され、かつ前記本体の幅よりも狭い幅で形成され、
前記センターカバーは、前記テーブルの両側面を構成する部分に形成された段差部を備え、
前記段差部は、前記上カバーと前記センターカバーと前記下カバーとを組み立てた状態で前記テーブルの両側面に形成される溝を構成し、
前記テーブルは、前記上面の奥側に設けられ、かつ前記上面よりも突出するように形成された傾斜部を備えるようにする。
【０００９】
【発明の実施の形態】
以下、本発明に係る実施形態を、現金自動取引機（ＡＴＭ）を例にして、図を参照にしながら説明する。なお、各実施形態の同一または同様な部分や部位は同一符号をもって示し、重複した説明を省略する。また、各実施形態においては、現金自動取引機を例として説明するが、本発明の内容は各種の自動機にも適用することができる。
【００１０】
最初に、本発明の第１の実施形態に係る現金自動取引機を、図１から図１４を参照しながら説明する。
【００１１】
まず、図１を参照して、本発明の第１の実施形態に係る現金自動取引機の外観について説明する。図１は、本発明の第１の実施形態に係る現金自動取引機の外観構造を示す斜視図である。
【００１２】
図１において、符号１で総括的に示すのは、金融機関等のロビーに設置される現金自動取引機であり、現金自動取引機１は、直方体の前面上方の一部分が側面から見てＬ字形に切り欠かれた開口部を有する本体２と、Ｌ字形の開口部を塞ぐように配置された側面から見てL字形のフロントパネル３とから構成される。
【００１３】
本体２は、前面が開口した筐体５と、筐体５の前面下方の開口部を塞ぐように設けられた板状の前面扉６と、筐体５の背面に配置された板状の背面扉７とを有している。また、本体２の側面には放熱穴８、底面には移動用のキャスター９と、固定用のアジャスター１０が設けられている。
【００１４】
筐体５は、各種の取引処理を行う機構部、例えば、図示しないカード読取ユニットや通帳ユニット、紙幣ユニット、硬貨ユニット等を内蔵しており、各ユニットの媒体口は、Ｌ字形の開口部から露出するように配置されている。そして、Ｌ字形の開口部から露出した各ユニットの媒体口は、フロントパネル３やテーブル４に形成される開口部より露出して設けられている。
【００１５】
フロントパネル３は、本体２のＬ字形開口部に開閉可能に配置され、水平部分が傾斜したL字形のフレーム３１と、このL字形のフレーム３１に取り付けられ、本体２のＬ字形開口部の垂直部分を塞ぐフロントカバー３２と、前記L字形のフレーム３１に取り付けられ、本体２のＬ字形開口部のほぼ水平部分を塞ぐテーブル４とを含んで構成される。
【００１６】
前記フレーム３１は、このフロントパネル３の骨格をなすものであり、正面からみて門型に形成され、その両側が下部がL字型に屈曲して前方に伸びている。上端部はヒンジ軸受部を介して、このフロントパネル３を保持するために幅広く（太く）形成され、その下方で両側に伸びる支柱部分に前記フロントカバー３２とテーブル４を取り付ける。この実施の形態では、前記幅広く形成した部分を広告パネル等を配置するパネルスペース３４として活用している。
前記フロントカバー３２は、下方部分が本体側に凹状に傾斜した傾斜面３２ａを有しており、この傾斜面３２ａの左右両端部に、三角形状のカメラ収納部３３が設けられている。そして、フロントカバー３２にはカードの出し入れや利用明細の排出を行うカード／明細口３５と、通帳の出し入れを行う通帳口３６と、取扱サービス等を表示する取扱表示部３８と、係員等を呼び出すための呼出ボタン３９が設けられ、さらに下方部分（傾斜面３２ａ）にはスピーカー３７がそれぞれ設けられている。
【００１７】
テーブル４は、本体２のＬ字形開口部の水平部分を塞ぐと共に、前面部分（手前側）が突出するように、傾斜したフレーム３１の水平部分３１ａに取り付けられている。また、テーブル４の後面部分（奥側）には、傾斜面４ｂと、凸形に形成され、テーブル４の上面４ａよりも僅かに突出して配置された凸状部材４１を有しており、この凸状部材４１に硬貨口４２と紙幣口４３が設けられている。なお、テーブル４の手前側には、タッチパネル式の操作表示部４４やハンドセット等の追加機器設置スペース４５、顧客センサー４６、係員等が操作する鍵穴４７等が設けられている。さらに、テーブル４の両側面には、溝４８が形成されている。
【００１８】
タッチパネル式の操作表示部４４には、各種の操作キーやガイダンスが表示され、該操作キーの画面位置に対応して設定される操作指示を指等でタッチパネルに触れることで、現金自動取引機を操作できるようにしている。この実施形態では、操作表示部に薄形のＬＣＤを採用している。
【００１９】
追加機器設置スペース４５は、ハンドセットやスキャナ、カメラ、表示器等を設けることができるようになっており、例えば、スキャナーを設けた場合には、指紋認証による本人確認が行えるようにすることができる。
【００２０】
前面扉６は、筐体５に回転可能に取り付けられると共に、異物返却口６１と鍵穴６２とを有している。前面扉６は、主に筐体５の内部前方に配置された各種機器のメンテナンスを行う場合に開放されるものであり、鍵穴６２に図示しない鍵を挿入して回すことにより解錠され、開放することが可能となっている。
【００２１】
背面扉７は、筐体５に回転可能に取り付けられると共に、図示しない把持部と鍵穴を有している。背面扉７は、主に紙幣や硬貨の補充、筐体５の内部後方に配置された各種機器のメンテナンスを行う場合に開放されるものであり、鍵穴に図示しない鍵を挿入して回すことにより解錠され、開放することが可能となっている。
【００２２】
次に、図２から図４を参照して、フロントパネルおよびテーブルの構造について説明する。図２は、フロントパネルおよびテーブルの部品構成を示す図である。図３は、テーブル上面の視認性を示す図である。図４は、各種ケーブルの布設状態を示す図であり、（ａ）は部分正面図、（ｂ）は部分断面図である。
図２において、フロントパネル３は、フレーム３１の背面上端部に設けられた図示しないヒンジ軸部と、筐体５の前面上端部に形成されたヒンジ軸受部３００と、フレーム３１の下端部に設けられたダンパー３１０とで構成された開閉機構により、筐体５に回動可能に取り付けられている。フロントパネル３の開閉動作は、テーブル４の前端部に設けられた鍵穴４７（図１参照）に図示しない鍵を挿入して回転させることにより、本体２とフロントパネル３とを嵌合させているロック機構（図示省略）を解除し、フロントパネル３（テーブル４）を保持して行うようになっている。フロントパネル３を開く場合は、通常、ロック機構の解除後にテーブル４の手前側を持って持ち上げるようにして開き、閉じる場合は、テーブル４の上面４ａ（図１参照）に手を載せ、テーブル４を押し下げるようにすることで閉じられるようになっている。本実施の形態では、フロントパネルの開閉動作を、テーブル４の手前側を持って開放、あるいはテーブル４の上面４ａ（図１参照）に手を載せ、テーブル４を押し下げるようにして閉じることができることに加え、テーブル４の側面に形成された溝４８（図１参照）に手（指）を掛け、テーブル４を持ち上げるようにすることでフロントパネル３を開放でき、しかも、フロントパネル３を閉じる際には、溝４８に手（指）を掛け、テーブル４を引き寄せるようにして、フロントパネル３を閉じることができるようにしている。このような構成とすることで、フロントパネル３の開閉動作に必要な操作力を軽減することができるので、フロントパネルの開閉動作を容易に行うことができる。なお、フロントパネル３を閉じると、フロントパネル３と本体２が嵌合した状態となり、この状態で鍵を回すと施錠されるようになっている。
【００２３】
図２において、テーブル４は、上カバー４１０と、フロントピース４２０ａとサイドピース４２０ｂとから構成され、フロントピース４２０ａとサイドピース４２０ｂとを図示しないシャーシにより固定することで形成されたセンターカバー４２０と、センターカバー４２０の下方に配置される下カバー４３０とを有しており、センターカバー４２０をフロントピース４２０ａとサイドピース４２０ｂとで挟み込むようにして形成されている。
【００２４】
上カバー４１０は、矩形状の開口部４１１と、上カバー４１０の後面部分（奥側）に設けられた凸状部材４１と、凸状部材４１の上面に露出し、上カバー４１０の裏面まで開口して形成された開口部４１ａ、４１ｂと、上カバー４１０の上面に対して傾斜した傾斜面４ｂとを有している。そして、開口部４１ａ、４１ｂに蓋４５０ａ、４５０ｂを開閉可能に取り付けることで、硬貨口４２と紙幣口４３が構成されるようになっている。また、上カバー４１０の裏面には、フロントパネル３の開閉動作を本体２に伝達するための第１ケーブル４６０が取り付けられている。センターカバー４２０は、上方と下方が段差４２０ｃを持つように形成されており、この段差部４２０ｃは、上カバー４１０とセンターカバー４２０、下カバー４３０とを組み立てた状態で、主に使用者が手（指）をかけるための溝４８となる。
【００２５】
本実施形態では、センターカバー４２０をフロントピース４２０ａとサイドピース４２０ｂとで挟み込むように形成しているが、テーブルを上カバーと周囲に段差を有する下カバーとで構成し、下カバーの段差が露出するように下カバーを上カバーで覆うように形成しても良い。
【００２６】
テーブル４の内部には、固定カバー４７０に取り付けられた表示ユニット４７１と、使用者の接近状態を感知する顧客センサー４７２と、後述する各種のケーブル等が収納されている。表示ユニット４７１は、タッチパネル式の操作表示部４４と、操作表示部４４が取り付けられる基板４７３と、操作表示部４４の動作を本体２に伝達する第２ケーブル４７４と、操作表示部４４に電源を供給する第３ケーブル４７５と、本体２の動作を操作表示部４４に伝達する第４ケーブル４７６とから構成されている。
【００２７】
上述した各部品を有するテーブル４は、まず、表示ユニット４７１を固定カバー４７０に取り付け、固定カバー４７０を図示しないネジ等により、上カバー４１０の裏面に操作表示部４４が開口部４１１から露出するように取り付けられる。次に、開口部４１ａ、４１ｂに、凸状部材４１の裏面から蓋４５０ａ、４５０ｂが開閉可能に取り付けられる。次に、センターピース４２０の前面に第５のケーブル４７２ａを有する顧客センサー４７２を取り付け、センターピース４２０を上ケース４１０と嵌合させる。そして、最後に下カバー４３０を取り付け、図示しないネジ等により、上カバー４１０とセンターカバー４２０、下カバー４３０を固定することにより、組み立てられるようになっている。
【００２８】
また、一般に、前記開閉機構を備えたフロントパネルでは、タッチパネル式の操作表示部と筐体とのケーブル配線は、Ｌ型の前記フロントパネルに沿って配線している。この際、この種の自動機では、Ｌ型のフロントパネルの角部分（テーブル後方部近傍）に凹状の傾斜面３２ａを形成し、この凹部に前記紙幣投入口や硬貨投入口を設けているため、前記操作表示部の配線は前記凹部の両側の細い支柱部分を介して配線されている。
即ち、前記操作表示部などから引き出されるケーブルの多くは、操作表示部の両側に引き出されて前記支柱部分を通して筐体まで引っ張られるため、テーブルの両側面にケーブルを配線するためのスペースを確保しなければならず、テーブルが必要以上に幅広くなってしまい、使用時におけるテーブルの保持性が低下するという課題があった。
【００２９】
本発明のテーブル４は、側面に手（指）をかけるための溝４８を形成することで、フロントパネル３の開閉操作時は手掛部として機能させると共に、テーブル４の保持性を良好にしている。しかしながら、溝４８を形成したことにより、テーブル４の内部空間が狭くなり、各種ケーブル４７４、４７５、４７６、４７２ａの配線スペースが少なくなっている。特に、前記両側の支柱部分の近傍の配線スペースが確保しにくくなる。そこで、本実施形態では、Ｌ字形開口部の水平部分に対して角度θ１だけ緩やかに傾斜したテーブル４の奥側部分を、さらに角度θ２だけ傾斜させた傾斜面４ｂを形成することにより、各種ケーブル４７４、４７５、４７６、４７２ａの配線スペースを確保している。具体的には、図３で示すように、本体２のＬ字形開口部の水平面に対して角度θ１、本実施形態では約８°傾斜するように形成されたテーブル４の上面４ａの奥側を、さらにテーブル４の上面４ａに対して角度θ２、本実施形態では約１５°傾斜した傾斜面４ｂを形成することで、各種ケーブル４７４、４７５、４７６、４７２ａの配線スペースを確保している。これにより、図４（ａ）、（ｂ）で示すように、テーブル４の内部と凸状部材４１の内部、三角形状のカメラ収納部３３の内部下方に配線スペースを形成し、この配線スペースに各種ケーブルを通すことで、フロントパネル３の両側のスペースを有効活用し、メインとなる少なくとも５本のケーブル４６０、４７４、４７５、４７６、４７２ａをまとめて収納して布設することができ、薄型でコンパクトな、しかも保持性の良好なテーブルとすることができる。
【００３０】
また、前記テーブル４の傾斜はタッチパネル式の操作表示部４４の操作性を考慮して設定されているため、テーブル４の後方に配置される紙幣口４３や、硬貨口４２の操作性や視認性の面からは傾斜角度が小さいとの課題があった。そこで、本実施形態では、テーブル４の上面４ａの奥側から一段突出するように凸状部材４１を設け、この凸状部材４１に硬化口４２と紙幣口４３を設けているため、図３で示すように、使用者の視野範囲Ｓにあった位置に硬貨口４２や紙幣口４３を設けることができる。したがって、操作表示部４４の良好な視認性を維持しつつ、向上させると共に、硬貨口４２や紙幣口４３の視認性や取扱性を良好にすることができる。なお、テーブル４は、角度θ１が５°≦θ１≦１５°の範囲、角度θ２が５°≦θ２≦３０°の範囲で傾斜するように形成されている。
【００３１】
また、本実施形態では、テーブル４の上面４ａを約８°傾斜させているが、角度θ１が０°、即ち、テーブル４の上面４ａが平らな平坦面である場合でも、テーブル４の上面４ａの奥側に傾斜面４ｂを形成することで、上記と同様の効果を得ることができる。
【００３２】
次に、図５から図７を参照して、現金自動取引機の使用状態について説明する。図５は、現金自動取引機の一般的な使用状態を示す図である。図６は、テーブルの保持状態を示す斜視図である。図７は、テーブルの保持状態を示す部分拡大図であり、（ａ）は部分平面図、（ｂ）は部分正面図である。
現金自動取引機１を使用する際は、図５で示すように、テーブル４の上面４ａに一方の手を置き、この一方の手を軸に、もたれかかるようにして体を支え、他方の手で操作を行う場合が多く見受けられる。このような場合、テーブル４の上面４ａを手の平で押すようにして体を支えることとなり、テーブル４の上面４ａに置いた手の平に負荷がかかってしまう。また、手の平に負荷がかからないように、テーブル４の上面４ａに手の平を軽く置いた場合には、テーブル４の上面４ａから手が滑り落ちる恐れもある。このため、本実施形態では、図６で示すように、テーブル４の側面に手（指）をかけるための溝４８が設けられている。具体的に、溝４８は、図７（ａ）で示すように、平面から見て、長さＬ１の寸法を有し、テーブル４の奥側が細く、手前側に向かうにつれて直線状に太くなると共に、テーブル４の前端部まで通された形状をなし、手（指）をかける部分の長さＬ４が１２０ｍｍとなっている。そして、溝４８は、図７（ｂ）で示すように、テーブル４の側面に、高さｈが約１７ｍｍ、深さｄが約１５ｍｍの溝４８を形成している。これにより、指がかりの良好なテーブル４を実現することが可能となる。なお、溝４８の寸法は、高さｈを１５ｍｍ≦ｈ≦３０ｍｍの範囲、深さｄを１５ｍｍ≦ｄ≦３０ｍｍの範囲、長さＬ１を１００ｍｍ≦Ｌ１≦３５０ｍｍの範囲で形成することで、指がかりの良好な溝４８を形成することができる。これにより、現金自動取引機１を使用する際には、溝４８に指をかけるようにしてテーブル４を保持することができるので、テーブル４の上面４ａに置いた手の平にかかる負荷を軽減することができ、かつ手の滑り落ちを防止することができる。
また、本実施形態では、手（指）をかける部分の長さＬ４を１２０ｍｍとしているが、溝４８の平面から見た形状を、テーブル４の奥側から手前側に向けて直線状に通された形状としてもよい。この場合、溝４８のどの部分でも手（指）をかけることができるので、指がかりをより良好にすることが可能である。なお、本実施形態では、長さＬ４を１００ｍｍ≦Ｌ４≦３５０ｍｍの範囲で形成するようになっている。
さらに、図７（ｂ）で示すように、本実施形態では、テーブル４の幅が本体２の幅よりも、幅ｄ３だけ狭くなっている。本実施形態では、幅ｄ３が３ｍｍ≦ｄ３≦５０ｍｍの範囲で形成されている。このように、テーブル４の幅を本体２の幅よりも狭くすることで、溝４８を視覚的に判るようにし、かつ現金自動取引機の両側面に壁等が立てられた場合でも、溝４８に指をかけるためのスペースを確保することができる。
【００３３】
次に、図６および図８を参照しながら、フロントパネル３の開閉動作について説明する。図８は、一般的な現金自動取引機におけるテーブルの保持状態を示す斜視図である。
まず、図８で示すように、フロントパネル３は通常、テーブル４と本体２とのつなぎ目７０を境界として開閉動作が行われている。しかしながら、テーブル４と本体２のつなぎ目７０に図示しない段差や隙間等を形成すると、この段差７１や隙間等からフロントパネル３がこじ開けられ、本体２やフロントパネル３が破壊される恐れがあると共に、本体内部に配置されたカード読取ユニットや通帳ユニット、紙幣ユニット、硬貨ユニット等の各ユニットまでも破壊されてしまう等、防犯性に難点があった。このため、本発明のように、テーブル４の両側に把持性の向上を図る溝４８を形成することは発想されていなかった。本発明では、図６で示すように、本体とのつなぎ目８０をフレーム３１で構成し、溝４８を、フレーム３１とテーブル４との間で形成したので、テーブル４の側面に形成された溝４８に指を引っかけながらテーブル４を保持し、Ｌ字形に形成されたフロントパネル３の水平面と本体２とのつなぎ目８０を境界として開閉動作を行うようにしている。これにより、テーブル４と本体２との間に生じる隙間や段差を形成することなく前記溝４８を形成することができるので、フロントパネル３がこじ開けられ、本体２やフロントパネル３の破壊を軽減しながらテーブル４を保持性を向上させることができる。
【００３４】
次に、図９を参照して、カメラ収納部に収納されたカメラについて説明する。図９は、カメラ収納部を示す図であり、（ａ）はカメラの取り付け方を示す図、（ｂ）は硬貨口４２の撮影状態を示す図、（ｃ）は紙幣口４３の撮影状態を示す図、（ｄ）は利用者の撮影状態を示す図である。図９において、フロントパネル３に設けられたカメラ収納部３３の内部には、図９（ａ）で示すように、硬貨口４２の監視を行う第１監視カメラ９０と、紙幣口４３の監視を行う第２監視カメラ９１が内蔵されている。第１監視カメラ９０で監視される画像は、図９（ｂ）で示すように、硬貨口４２に投入された硬貨の数と金額、あるいは硬貨口４２に排出された硬貨の数と金額の監視を常時行うようになっており、撮影された硬貨口４２の状態は、本体２の内部に設けられた図示しない記録部に記録されるようになっている。また、第２監視カメラ９１で監視される画像は、図９（ｃ）で示すように、紙幣口４３に投入された紙幣の枚数と金額、あるいは紙幣口４３に排出された紙幣の枚数と金額の監視を常時行うようになっており、撮影された紙幣口４３の状態は、本体２の内部に設けられた図示しない記録部に記録されるようになっている。このように、硬貨口４２および紙幣口４３の状態を監視、撮影することにより、例えば、利用者との間で金銭トラブル等が発生した場合でも、第１監視カメラ９０あるいは第２監視カメラ９１で監視、撮影した画像により対応することができるので、無用なトラブルを避けることが可能となる。また、フロントカバー３の裏面には、現金自動取引機１の利用者を監視するための第３監視カメラ９２が設けられており、第３監視カメラでは、図９（ｄ）で示すように、利用者が立つ位置を常時監視するようになっている。このような監視カメラを設けることで、利用者や現金自動取引機の状態を常時監視できるので、例えば、金銭の出し入れ等によるトラブルの発生を軽減することが可能となる。
【００３５】
次に、図１０から図１２を参照して、本実施形態に係る現金自動取引機の設置について説明する。図１０は、現金自動取引機１の外形寸法を示す図であり、（ａ）は正面図、（ｂ）は右側面図である。図１１は、現金自動取引機を壁面に設置した状態を示す図であり、（ａ）は斜視図、（ｂ）は正面図である。図１２は、現金自動取引機１を金融機関等のロビーに複数台併設した状態を示す図である。
【００３６】
まず、図１０において、本発明の現金自動取引機１は、高さHが１３５０ｍｍ、幅Ｗが５７０ｍｍ、奥行Ｄが１０２０ｍｍの外形寸法を備えている。また、テーブル４は、本体の最前面からＤ１だけ突出するように設けられると共に、手前側の端部が設置面からＨ１の高さに位置し、Ｄ２の奥行を備えている。本実施形態では、Ｄ１を７８．５ｍｍ、Ｈ１を７９６ｍｍ、Ｄ２を３８８ｍｍに設定している。なお、本実施形態に係る現金自動取引機１の外形寸法は、高さＨが１１９０ｍｍ≦Ｈ≦１３５０ｍｍの範囲、幅Ｗが４５０ｍｍ≦Ｗ≦７２０ｍｍの範囲、奥行Ｄが６００ｍｍ≦Ｄ≦１２００ｍｍの範囲、Ｄ１が０ｍｍ≦Ｄ１≦４５０ｍｍの範囲、Ｄ２が２５０ｍｍ≦Ｄ２≦４５０ｍｍの範囲、Ｈ１が７５０ｍｍ≦Ｈ１≦８５０ｍｍの範囲で形成されるようになっている。また、図示を省略しているが、本実施形態ではテーブルの幅を、現金自動取引機の幅Ｗよりも狭く形成している。
このような外形寸法を有する現金自動取引機１を、例えば、図１１（ａ）で示すように、壁面２００に設置する場合、フロントパネル３の上方に形成されたパネルスペース３４に広告パネル１１０を取り付けるようにしている。広告パネル１１０は、パネル本体に印刷を施したり、紙を挟み込むことができるようになっている。これにより、フロントパネル３の上面をフラットにすることができ、現金自動取引機１を壁面２００に馴染ませて設置することが可能となる。また、図１１（ｂ）で示すように、広告パネル１１０に壁面と同じ壁紙を使用することにより、高さＨが１３５０ｍｍに設定された現金自動取引機１を、高さＨが１２００ｍｍの現金自動取引機１であるように見せることができるので、壁面２００に馴染ませるように配置することが可能になると共に、コンパクトな現金自動取引機を印象付けることができる。さらに、現金自動取引機１を壁面２００に馴染ませることで、操作部等が目立って視覚的に判り易くなり、利用者に対する圧迫感を低減することが可能となる。
また、図１２で示すように、現金自動取引機１を金融機関等のロビーに複数台併設する場合、本実施形態では、現金自動取引機１の一方の側面にはパーテーション１００、他方の側面にはゴミ箱等の箱状部材１０１が設けられ、この箱状部材１０１の側面にもパーテーション１００を設けることで、隣接する現金自動取引機と仕切られるようになっている。このように、本体２の他方の側面に箱状部材１０１を設けることで、テーブル４の一方の側面を開放することができるので、複数台の現金自動取引機１をパーテーション１００で仕切って設置しても、テーブル４の側面に形成された溝４８に手（指を）掛けるためのスペースを確保することが可能となる。さらに、本実施形態では、テーブル４の幅を現金自動取引機１の幅Ｗよりも狭く形成しているので、例えば、ごみ箱等の箱状部材１０１を設置せずに複数の現金自動取引機１をパーテーション１００で仕切った場合でも、テーブル４の側面に形成された溝４８に手（指を）掛けるためのスペースを確保することが可能となる。なお、図１２においては、パネルスペース３４に広告パネル１１０を取り付けていないが、金融機関等のロビーに設置する場合においても、広告パネル１１０を取り付けることが可能となっている。
次に、図１３および図１４を参照して、溝を利用したパーテーションの取付構造を説明する。図１３および図１４は、現金自動取引機を仕切るパーテーションの取り付け状態を示す図である。現金自動取引機１の設置においては、設置場所によっては設置スペースが少なく、現金自動取引機１に隣接して、ゴミ箱等の箱状部材１０１を設置できない場合がある。このような場合、設置スペースを有効に利用することが望ましい。本実施形態では、このような場所に現金自動取引機１を設置した際、溝４８に空間ができてしまうため、この空間を利用してパーテーションを簡易接続できるようにしている。具体的には、図１３で示すように、パーテーション１００には、直方体形状の突起部１５０が設けられており、この突起部１５０をテーブル４の両側面に形成された溝４８の一方と嵌合させことで、現金自動取引機１にパーテーション１００が取り付けられるようになっている。このような構造とすることで、溝４８を有効に利用することができ、しかも、突起部１５０と溝４８とを嵌合させているので、現金自動取引機１にパーテーション１００を確実に取り付けることができる。また、本実施形態では、テーブル４の幅が現金自動取引機１の幅Ｗよりも狭く形成されているので、パーテーション１００を取り付けた状態でも、現金自動取引機１の幅Ｗの範囲内に収めることができるコンパクトな現金自動取引機とすることができる。また、現金自動取引機１のメンテナンス等を行う場合は、パーテーション１００を容易に外すことができるようになっている。
図１４は、現金自動取引機１の上方部分のみ仕切る場合を示している。現金自動取引機１の設置においては、設置場所によってはパーテーションを設置するスペースがない場合もある。しかしながら、画面操作等を周囲から見られないようにするため、パーテーションを取り付ける必要がある。このような場合、本発明では、図１４で示すように、サイドパーテーション１６０の下端部を直角に折り曲げて突出部１７０を形成し、この突出部１７０をテーブル４の両側面に形成された溝４８の一方と嵌合させ、図示しないネジ等により固定することで、現金自動取引機１にサイドパーテーション１６０が取り付けられるようになっている。このような構造でも、図１３で説明した実施形態と同様、現金自動取引機１にサイドパーテーション１６０を確実に取り付けることができ、かつサイドパーテーション１６０を取り付けた状態でも、現金自動取引機１の幅Ｗの範囲内に収めることができるコンパクトな現金自動取引機とすることができる。しかも、図１４においては、メンテナンス時においても、サイドパーテーション１６０を取り付けた状態でフロントパネル３を回動できるようになっており、フロントパネル３を容易に開くことができる。
また、図１４で示すように、サイドパーテーション１６０に代えて、現金自動取引機１の上方部分を覆うようなカバー１８０を取り付けるようにしてもよい。この場合、カバー１８０の下端を部直角に折り曲げて突出部１８１を形成し、この突出部１８１をテーブル４の両側面に形成された溝４８と嵌合させ、ネジ１８２等により固定することで、現金自動取引機１にカバー１８０が取り付けられるようになっている。このような構造とすることで、上述した実施形態と同様の効果が得られることに加え、コンビニエンスストア等のロビーに、現金自動取引機１を単体で設置する場合に有効となる。
【００３７】
以上説明したように、本発明の第１の実施形態おける現金自動取引機によれば、テーブルの側面に溝を形成することにより、テーブルの保持性を良好にすると共に、フロントパネルの開閉動作を容易に行うことができる。
【００３８】
また、テーブル面の奥側を傾斜させることにより、各種のケーブルをまとめで布設することができ、テーブルの組立性を良好にすることができる。
【００３９】
また、傾斜したテーブル面の奥側を手前側よりも急な傾斜面で形成し、この傾斜面に凸状部材を配置することにより、操作表示部の視認性や操作性を良好にすることに加え、硬貨口や紙幣口の視認性、取扱性を良好にすることができる。
また、テーブルと本体との間の段差や隙間をなくすことができるので、本体やテーブルが破壊されることを軽減することが可能となる。
【００４０】
次に、図１５及び図１６を参照して、本発明の第２の実施形態について説明する。図１５は、本発明の第２の実施形態に係る現金自動取引機の部分斜視図である。図１６は、本発明の第２の実施例に係る現金自動取引機の使用状態を示す図である。なお、図１５および図１６で省略されている部分は、上述した第１の実施形態と同一である。本実施形態では、主として車椅子利用者が使用し易い現金自動取引機について説明する。
車椅子利用者が現金自動取引機を使用する場合、現金自動取引機に近づきにくく、しかも操作の際に保持する部分が少なくなっている。また、利用者によっては、テーブル面に上体をのせて操作を行う場合も見受けられる。このため、本実施形態では、車椅子利用者が前のめりに近づき易くし、かつ現金自動取引機に近づき易くするとともに、操作の際に保持しやすくするためのバーが設けられている。具体的には、図１５で示すように、本実施形態では、現金自動取引機１のテーブル４の側面に、主として車椅子利用者が使用するバー１３０が設けられている。このバー１３０は、テーブル４の側面に形成された溝４８（図１参照）に設けられる側方部分１３０ａと、テーブル４の前面部と対向する前方部分１３０ｂとをコ字状に連結し、前方部分１３０ｂがテーブル４の前面部との間で所定の空間１３０ｃを形成するように、テーブル４の周囲に設けられている。また、バー１３０の側方部分１３０ａは、その端部がフロントパネル３２を通して本体２の内部に延在し、かつ端部にスプリングダンパー１３１が取り付けられており、溝４８をガイドレールとして、引き出し可能に設けられている。
【００４１】
このような構成からなるバー１３０は、図１６（ａ）で示すように、車椅子利用者がバー１３０の前方部分１３０ｂを保持して手前側へ引っ張ることにより、バー１３０が引き出されるようになっている。そして、車椅子利用者は、引き出されたバー１３０を保持しながら本体２の方向へ押すようにすることで、バー１３０はスプリングダンパー１３１の作用により、徐々に本体２の方向へ押し込まれ、図１６（ｂ）で示すように、現金自動取引機１に近づいて行くことができる。このような構成とすることにより、車椅子利用者が現金自動取引機１へ容易に近づくことができるので、使い勝手を良好にすることができる。
【００４２】
また、バー１３０を完全に収納せず、張り出した状態とすることで、体をのせたりする保持スペースを作ることができるようになっている。
【００４３】
さらに、図１６（ｃ）で示すように、バー１３０は立位利用者も使用することができるようになっている。この場合、立位利用者の体形に合わせて、テーブル４との距離を邪魔にならないように調整することができるので、保持スペースを広くすることができ、現金自動取引機１の使い勝手をさらに向上させることが可能となる。
【００４４】
次に、図１７を参照して、本発明の第３の実施形態について説明する。図１７は、本発明の第３の実施形態に係る現金自動取引機の部分平面図である。本実施形態は、テーブル４の側面に形成された溝４８の他の実施形態を示すものであり、溝４８の形状以外は、基本的に第１の実施形態と同一である。
図１７（ａ）は、テーブル４の側面の略中央に、凹部を基調とする長さＬ２の溝４８を形成した状態を示している。このような凹部を基調とした溝４８を形成することにより、溝４８の手前側に手を引っかけるようにしてテーブル４を保持することができるので、保持性をより良好にすることができる。なお、溝４８の長さＬ２は、１００ｍｍ≦Ｌ２≦２５０ｍｍの範囲で形成され、溝４８の高さおよび深さは、第１の実施形態と同一となっている。
また、図１７（ｂ）は、テーブル４の側面の一部分を切り欠いた長さＬ３の切欠部４９を形成し、この切欠部４９の奥側に凹部を基調とし、切欠部４９の長さＬ２と同じ長さの溝４８を形成した状態を示している。このように、テーブル４の側面の一部分を切り欠いた切欠部４９を形成し、この切欠部４９の奥側に凹部を基調とする溝４８を形成することにより、テーブルの保持性をより良好にし、しかも、手をかける部分が上面から視覚的に判るようにすることができる。なお、溝４８および切欠部４９の長さＬ３は、１００ｍｍ≦Ｌ３≦２５０ｍｍの範囲で形成され、溝４８の高さおよび深さは、第１の実施形態と同一となっている。
【００４５】
【発明の効果】
本発明によれば、テーブルの保持性を良好にすることができ、かつ操作部や紙幣取扱口、硬貨取扱口の操作性や視認性を向上させた自動機を得ることができる。
【図面の簡単な説明】
【図１】本発明の第１の実施形態に係る現金自動取引機の外観構造を示す斜視図である。
【図２】本発明の第１の実施形態に係る現金自動取引機のフロントパネルおよびテーブルの部品構成を示す図である。
【図３】本発明の第１の実施形態に係る現金自動取引機のテーブル上面の視認性を示す図である。
【図４】本発明の第１の実施形態に係る現金自動取引機の各種ケーブルの布設状態を示す図である。
【図５】現金自動取引機の一般的な使用状態を示す図である。
【図６】本発明の第１の実施形態に係る現金自動取引機のテーブルの保持状態を示す斜視図である。
【図７】本発明の第１の実施形態に係る現金自動取引機のテーブルの保持状態を示す部分拡大図である。
【図８】一般的な現金自動取引機におけるテーブルの保持状態を示す斜視図である。
【図９】本発明の第１の実施形態に係る現金自動取引機のカメラ収納部を示す図である。
【図１０】本発明の第１の実施形態に係る現金自動取引機の外形寸法を示す図である。
【図１１】本発明の第１の実施形態に係る現金自動取引機を壁面に設置した状態を示す図である。
【図１２】本発明の第１の実施形態に係る現金自動取引機を金融機関等のロビーに複数台併設した状態を示す図である。
【図１３】本発明の第１の実施形態に係る現金自動取引機を仕切るパーテーションの取り付け状態を示す図である。
【図１４】本発明の第１の実施形態に係る現金自動取引機を仕切るパーテーションの取り付け状態を示す図である。
【図１５】本発明の第２の実施形態に係る現金自動取引機の部分斜視図である。
【図１６】本発明の第２の実施例に係る現金自動取引機の使用状態を示す図である。
【図１７】本発明の第３の実施形態に係る現金自動取引機の部分平面図である。
【符号の説明】
１…現金自動取引機、２…本体、３…フロントパネル、４…テーブル、４ａ…上面、４ｂ…傾斜面、５…筐体、６…前面扉、７…背面扉、８…放熱穴、９…キャスター、１０…アジャスター、３１…フレーム、３１ａ水平部分、３２…フロントカバー、３２ａ…傾斜面、３３…カメラ収納部、３４…パネルスペース、３５…カード／明細口、３６…通帳口、３７…スピーカー、３８…取扱表示部、４１…凸状部材、４１ａ…開口部、４１ｂ…開口部、４２…硬貨口、４３…紙幣口、４４…操作表示部、４５…追加機器設置スペース、４６…顧客センサー、４７…鍵穴、４８…溝、４９…切欠部、６１…異物返却口、６２…鍵穴、７０…つなぎ目、７１…段差、８０…つなぎ目、９０…第１監視カメラ、９１…第２監視カメラ、９２…第３監視カメラ、１００…パーテーション、１０１…箱状部材、１１０…広告パネル、１３０…バー、１３０ａ…側方部分、１３０ｂ…前方部分、１３０ｃ…空間、１３１…スプリングダンパー、１５０…突起部、１６０…サイドパーテーション、１７０…突出部、１８０…カバー、１８１…突出部、１８２…ネジ、２００…壁面、３００…ヒンジ軸受部、３１０…ダンパー、４１０…上カバー、４１１…開口部、４２０…センターカバー、４２０ａ…フロントピース、４２０ｂ…サイドピース、４２０ｃ…段差、４３０…下カバー、４５０ａ…蓋、４５０ｂ…蓋、４６０…第１ケーブル、４７０…固定カバー、４７１…表示ユニット、４７２…顧客センサー、４７２ａ…第５のケーブル、４７３…基板、４７４…第２ケーブル、４７５…第３ケーブル、４７６…第４ケーブル。
【図１】
0004100041.tif 000002
【図２】
0004100041.tif 000003
【図３】
0004100041.tif 000004
【図４】
0004100041.tif 000005
【図５】
0004100041.tif 000006
【図６】
0004100041.tif 000007
【図７】
0004100041.tif 000008
【図８】
0004100041.tif 000009
【図９】
0004100041.tif 000010
【図１０】
0004100041.tif 000011
【図１１】
0004100041.tif 000012
【図１２】
0004100041.tif 000013
【図１３】
0004100041.tif 000014
【図１４】
0004100041.tif 000015
【図１５】
0004100041.tif 000016
【図１６】
0004100041.tif 000017
【図１７】
0004100041.tif 000018